(57)【要約】【課題】本発明は、加工気流供給装置からの加工気流を、加工気流供給対象者に吐出する際、供給対象者に無駄なく供給する事が可能となる吐出口を提供することを目的としている。【解決手段】加工気流供給装置５からの加工気流をホース４の中を流した後、供給対象者に対して、略円錐形状をした吐出口６を設けて、その円形状底面７を供給対象者の方へと向けて加工気流を供給することとした構成としている。上記構成により、加工気流は略円錐状の形状をした吐出口６からその円形状底面を通して供給対象者へと供給されるので、途中で外部へ拡散することがなく供給対象者に無駄なく供給されることが可能となっている。【選択図】図１
2004167473.tif 000002
【特許請求の範囲】
【請求項１】
加工気流供給装置から、加工気流供給対象者に対して加工気流を供給する気流供給口の形状を、略円錐型形状とし、前記略円錐形状における円形底面を供給対象者に向けて気流を供給する構成とした加工気流供給装置。
【請求項２】
気流供給口は、略中央部に気流の吐出口を有し、該吐出口は中央部からの吐出口に加えて、中央の吐出口を囲むように一つ若しくは複数個の吐出口を有している構成とした請求項１に記載の加工気流供給装置。
【請求項３】
吐出口の直前には通路が拡大している拡大空間部を設けた構成とした請求項２に記載の加工気流供給装置。
【発明の詳細な説明】
【技術分野】
【０００１】
本発明は、周辺空気を加工して清浄にした気流や、酸素濃度を周辺空気より高くした気流にして供給する等の、加工気流供給装置に関するものである。
【背景技術】
【０００２】
従来の、空気を加工モジュールで加工して吐出口から供給する加工気流供給装置としては、図９に示す構成のようなものがある（例えば、特許文献１参照）。
【０００３】
図９において、１は筐体で、内部に気流加工モジュール２を備え、吐出口３から加工気流を吐出する構成としている。
【特許文献１】特開昭５８−２０５５２３号公報
【発明の開示】
【発明が解決しようとする課題】
【０００４】
上記従来の加工気流供給装置では、吐出口の形状が単純なストレート形状であるために加工気流を供給される対象者にとっては、吐出気流に鼻などをピッタリと合わせる必要が有り、また、うまく合わせても、気流が拡散してしまい、加工気流が対象者から外れてしまうことが起こる可能性を有していた。
【０００５】
本発明は、上記課題を解決するためのものであり、加工気流を供給対象者に無駄なく供給できるようにする形態とすることを目的としている。
【課題を解決するための手段】
【０００６】
上記課題を解決するために本発明は、加工気流の吐出口の形状を略円錐状とし、その円形状底面部を、加工気流を供給する対象者に向けることで、加工気流を無駄なく供給できることを可能としているものである。
【発明の効果】
【０００７】
本発明の加工気流供給装置によれば、加工気流を無駄なく供給対象者へと供給することが可能となる。
【発明を実施するための最良の形態】
【０００８】
請求項１に記載の発明は、加工気流供給装置からの加工気流を加工気流供給対象者の位置へと導いて、その最終端である吐出口の形状を略円錐形状とし、その円形状底面を対象者に向けて使用する形態としている。これにより、加工気流を供給される対象者は上記の略円錐状の吐出口近くまで顔を持って行きさえすれば、加工気流を無駄なく吸引することを可能としている。
【０００９】
請求項２に記載の発明は、吐出口の中央部に主となる気流の吐出口を設け、中央の吐出口の周辺には、一つ、若しくは複数個の気流吐出口を設けた形態としている。この構成により、中央の主となる加工気流を供給しつつ、周辺からは、同種の気流でも流速の異なった気流を供給することが可能となり、複数種の流速の同種加工気流により、肌での感じ方を異なった感じにする効果を教授できる加工気流供給装置とすることができる。
【００１０】
請求項３に記載の発明は、吐出口の直前には通路が拡大している拡大空間部を設けた構成としている。これにより、吐出口直前部の空間が、加工後の気流を流す過程で気流が受ける影響、例えば圧力変動など、を吸収する空間とすることが出来、吐出気流を安定したものとすることが可能となる。
【００１１】
以下、本発明の実施の形態について、図面を参照しながら説明する。なお、この実施の形態によって本発明が限定されるものではない。
【００１２】
（実施の形態１）
本発明の請求項１の記載に関わる実施の形態１を図１に基づいて説明する。図において、ホース４は加工気流供給装置５からの加工気流を導くものであり、前記加工気流が供給対象者に加工気流を吐出する部分となる、略円筒状の吐出口６へとつながっている。そして前記吐出口６は円形状底面７を供給対象者に向けて使用する構成としている。
【００１３】
上記の構成における動作について説明する。加工気流発生装置５により発生された加工気流は、ホース４を通って供給対象者へと導かれ、供給される対象者は、その顔を概ね吐出口６近辺へと持っていけば、その吐出口の略円錐上をした形状の特徴から、加工気流を吸引することが可能となる。そして略円錐状の円形状底面７が顔面に対向するので、加工気流は無駄なく供給対象者に供給されることになる。
【００１４】
（実施の形態２）
本発明の請求項２の記載に関わる実施の形態２を図２に基づいて説明する。基本的な形状は、実施の形態１に記載のものと概ね同様であるので、ここでは、共通の部分は図と図番を共用して、特徴ある形状について以下に述べる。図２において、略円錐状の吐出口６の円錐頂点付近にあたるホース４からの加工気流吐出部形状を、中央部の吐出口８と、前記吐出口８を囲むようにして吐出口９とからなる形状としている。
【００１５】
上記の構成における動作について説明する。動作の説明に於いても形状の説明と同様、実施の形態１と共通の内容についてはここでは省略し、特徴ある動作についてのみ記載する。すなわち、気流の吐出を吐出口８と吐出口９とに切り替えて、供給対象者が変化のある気流の受け取り方ができるようになり、長時間の供給にも耐えうるものになるのである。また、吐出を切り替えるだけでなく、夫々流速を違えたりするなどして、変化を持たすことも可能となる。
【００１６】
（実施の形態３）
本発明の参考例としての実施の形態３を図３に基づいて説明する。基本的な形状は、実施の形態２に記載のものと概ね同様であるので、ここでは、共通の部分は図と図番を共用して、特徴ある形状について以下に述べる。図３において、略円錐状の吐出口６の円錐頂点付近にあたるホース４からの加工気流吐出部形状を、実施例２と同じく中央部の吐出口８ａと、前記吐出口８ａを囲むようにして吐出口９ａとからなる形状とし、加工気流供給装置（図示せず）においては複数種の気流、例えば清浄空気と酸素富化空気、を生成することが可能な構成としている。
【００１７】
上記の構成における動作について説明する。動作の説明に於いても形状の説明と同様、実施の形態１と共通の内容についてはここでは省略し、特徴ある動作についてのみ記載する。すなわち、違った種類の気流が吐出口８ａと吐出口９ａから吐出されることになるので、両方同時に供給されることや、交互や、別々の供給などが可能となり、使用方法が様々に展開されることとなる。
【００１８】
（実施の形態４）
本発明の請求項３の記載に関わる実施の形態４を図４に基づいて説明する。図において、略円錐状の吐出口１０と加工気流供給装置（図示せず）からのホース４との間に、拡大空間１１を設けた構成としている。
【００１９】
上記の構成における動作について説明する。加工気流発生装置（図示せず）からの加工気流がホース４の内部を伝わって吐出口１０に至るまでには、流露の複雑さから来る圧力変動などの様々な影響を受けており、加工気流が吐出口１０からの吐出時に供給者に対して前記影響を及ぼそうとした時、拡大空間１１に入ることにより、安定化されソフトな状態で吐出されることとなる。また、騒音などがある場合は消音機の効果を持つことにもなり、音が静かでソフトな当りの気流を供給することが可能となるのである。
【００２０】
（実施の形態５）
次に、本発明の参考例としての実施の形態５を図５に基づいて説明する。図において、吐出口１２に至るホースは、外側のホース１３と内側のホース１４とからなる二重構造としている。
【００２１】
上記の構成における動作について説明する。吐出口１２では実施の形態２および３で述べた様に複数種の気流が吐出することで様々な効果が得られるのであるが、加工気流供給装置から吐出口に至るまでの経路が上記の構成により単純化され、見かけ上は外側ホース１３一本になり、一種類の気流が流れているのと変わらなくなり、取り扱いが格段に向上するのである。
【００２２】
（実施の形態６）
また、本発明の参考例としての実施の形態６を図６に基づいて説明する。本実施の形態の構成は、実施の形態５とほぼ同様であるので同じ構成のものは図番を共用して特徴のある構成についてのみ説明する。すなわち図において、外側のホース１５は屈曲、伸縮自在の蛇腹ホースとし、内側のホース１６は滑らかな表面をした構成としている。
【００２３】
上記の構成における動作について説明する。動作に関しても実施の形態５と同様であるので、ここでは、特徴のある動作についてのみ記載する。すなわち、吐出口１２を移動しようとしたとき、ホース１４は蛇腹状であることから動かし易く、また、内側ホース１６が滑らかな形状をしていることから吐出口の移動に際して、内部ホース１６が動いても外側ホース１５は柔軟な対応を自動的に行うこととなり、吐出口の移動が容易になり、取り扱いが格段に良いものとなる。尚、本実施の形態では、内部ホース１６を滑らか形状に限定しているが、外側ホース１５と同様の蛇腹形状にしても同様な効果が得られるのは当然であり、要は外側ホース１５の柔軟性が大きく寄与しているのである。
【００２４】
（実施の形態７）
次に本発明の参考例としての実施の形態７を図７に基づいて説明する。吐出口１７はその下部に屈曲自在の支持棒１８を有し、前記支持棒１８は、吐出口１７の重量に比べて充分に重たい支持台１９へと繋がった構成としている。
【００２５】
上記の構成における動作について説明する。加工気流の供給を受ける対象者が顔を動かそうとした時など、吐出口をその方向へと移動させることとなるが、このとき、上下の移動に対しては屈曲自在の支持棒１８が柔軟に対応し、全体を前後左右に動かす時には、重量のある支持台１９が転倒を防止したりするので、吐出口の移動に際しては加工気流の供給を受ける側への吐出口の位置修正に関する負担は大きく軽減されるものとなる。
【００２６】
（実施の形態８）
次に、本発明の参考例としての実施の形態８を図８に基づいて説明する。図に於いて加工気流供給装置２０の内部には、空気清浄様のフィルタ２１と脱臭用のフィルタ２２を設けており、外部空気３１は上記供給装置２０内に入って各フィルタ２１、２２を通過した後、切り替え弁２３により、そのまま吐出口２４へと至る経路と、別の加工装置（例えば酸素濃度を高くする酸素富化膜など）２５を通過する経路とに分離される。その一つの経路の通路上に臭いの発生源を入れておく臭い箱２６を、臭い源の交換が可能な状態で設けた構成としている。吐出口２４は支持棒２７と支持台２８とに支えられ、吐出口２９からと、吐出口３０から気流が吐出する構成となっている。３１は外気であり、３２はフィルタ通過気流であり、３３は排気である。
【００２７】
上記の構成による動作について説明する。外気はフィルタ２１、２２により細塵や臭いを取り去られ清浄な空気となって流れる。その後、切り替え弁２３により、経路を分けられ、そのまま吐出口２４の吐出口３０から清浄気流として吐出されて供給の対象者へと流れ、また、切り替え弁２３により、別の加工装置２５へと流れて、例えば高濃度酸素気流となって吐出口２９経由で供給対象者へと流れ、また、その途中にある臭い箱２６の臭い源により芳香を得て同じく吐出口２９に至って対象者へと流れたりする。この時、臭い箱２６の中身である臭い源は、中身の交換が可能となっているので、加工気流の供給対象者がその好みに応じて様々な臭い源を採用することが可能である。これにより、供給の対象者は自分の好みに応じた臭いで加工気流の供給を受けるので心地よい状態で操作することができるのである。
【図面の簡単な説明】
【００２８】
【図１】実施の形態１に記載の加工気流供給装置の吐出口斜視図
【図２】実施の形態２に記載の加工気流供給装置の吐出口斜視図
【図３】実施の形態３に記載の加工気流供給装置の吐出口斜視図
【図４】実施の形態４に記載の加工気流供給装置の吐出口断面図
【図５】実施の形態５に記載のホース断面図
【図６】実施の形態６に記載のホース断面図
【図７】実施の形態７に記載の吐出口と、支持棒、支持台の概観図
【図８】実施の形態８に記載の加工気流供給装置の構成図
【図９】従来の酸素発生装置の断面図
【符号の説明】
【００２９】
４  ホース
６  略円錐状吐出口
７  円形状底面
【図１】
2004167473.tif 000003
【図２】
2004167473.tif 000004
【図３】
2004167473.tif 000005
【図４】
2004167473.tif 000006
【図５】
2004167473.tif 000007
【図６】
2004167473.tif 000008
【図７】
2004167473.tif 000009
【図８】
2004167473.tif 000010
【図９】
2004167473.tif 000011